(57)【特許請求の範囲】
【請求項１】
種籾を温水に浸すタンクと、タンク内の温水をその底部から上面にかけて循環させる温水循環装置を備えてなる催芽機において、タンクの上面対向位置に、温水循環装置により循環させる温水をタンクの上面に向けて散水する複数のシャワーヘッドを設け、上記複数のシャワーヘッドは、左右に一対のＨ状管部とそれをつなぐ直管部とでなり、かつ水平状に配管されている分岐管のＨ状管部の先端に装着され、上記直管部の中間点には温水の供給基点となる給水管が接続されていて、複数のシャワーヘッドに対する温水の供給基点である給水管の分岐管との接続点と各シャワーヘッドとは略等距離となるように構成されているとともに、互いに隣接するシャワーヘッドが略等間隔に配置されていることを特徴とする催芽機におけるシャワー装置。
【発明の詳細な説明】
【０００１】
【発明の属する技術分野】
本発明は、種籾を温水に浸して発芽を促進させる催芽機において、タンク内の温水をその底部から上面にかけて循環させる温水をタンクの上面に分散状に散水する催芽機におけるシャワー装置に関する。
【０００２】
【従来の技術】
種籾を温水に浸すタンクと、このタンク内の温水を加温しながら循環させる温水循環装置を備えてなる催芽機は、従来から種々知られており、また、この種の催芽機において、タンクの上面に、循環させる温水をシャワー状に散水するようにしたものは、実公昭６１−２４０７１号公報に記載されているように、既に知られ、かつ実用に供されている。
【０００３】
【発明が解決しようとする課題】
上記実公昭６１−２４０７１号公報に記載されているように、従来の催芽機においては、タンクの上面に配置したパイプ状のシャワーヘッドから温水をシャワー状に散水させるので、循環させる温水に空気中の酸素をある程度は取り入れることができるとともに温水の循環ムラをある程度は少なくすることができるものである。
【０００４】
しかしながら、一般に催芽機のタンクは、網袋に詰めた種籾の出し入れ作業を容易にするため、その上面が広いところから、従来の催芽機では、パイプ状のシャワーヘッドでごく限られた範囲にしか温水を散水することができず、タンク内の温水を均等に循環させることができないうえ、空気中の酸素を十分取り入れることができないものであった。
【０００５】
このため、従来の催芽機では、タンク内の温水の温度が全体に均等にならないことと酸素不足が原因して、タンクに詰めた種籾に発芽ムラが発生しやすいという問題があった。
【０００６】
そこで、本発明は、催芽機におけるこのような問題点を解消しようとするものであって、タンクの上面略全体にわたって均等に分散状に散水することにより、タンク内の温水をタンクの略全体にわたって均等に循環させるとともに、広範囲にわたる散水により空気中の酸素を十分取り入れて、タンクに詰めた種籾の発芽を均等に促進することができ、さらに、温水の循環速度や圧力の高低にかわらず均等に散水することができる催芽機におけるシャワー装置を提供することを目的とする。
【０００７】
【課題を解決するための手段】
上記目的を達成するため、本発明に係る催芽機におけるシャワー装置は、種籾を温水に浸すタンクと、タンク内の温水をその底部から上面にかけて循環させる温水循環装置を備えてなる催芽機において、タンクの上面対向位置に、温水循環装置により循環させる温水をタンクの上面に向けて散水する複数のシャワーヘッドを設け、上記複数のシャワーヘッドは、左右に一対のＨ状管部とそれをつなぐ直管部とでなり、かつ水平状に配管されている分岐管のＨ状管部の先端に装着され、上記直管部の中間点には温水の供給基点となる給水管が接続されていて、複数のシャワーヘッドに対する温水の供給基点である給水管の分岐管との接続点と各シャワーヘッドとは略等距離となるように構成されているとともに、互いに隣接するシャワーヘッドが略等間隔に配置されていることを特徴とするものである。
【０００８】
なお、一般に種籾の催芽においては、温水に浸漬する催芽の前処理として薬液に浸漬する消毒と、消毒後に比較的低温の水に浸漬する浸種を行い、かつ催芽の後処理として常温以下の冷水に浸漬する芽止めを行うので、本発明において温水とは、催芽の前処理および後処理におけるそれらの処理水を含むことを前提とした概念とする。
【０００９】
【発明の実施の形態】
図１は本発明の一実施の形態に係る催芽機の全体側面図、図２はそのシャワー装置を示す斜視図である。また、図３は本発明の他の実施の形態に係る催芽機の全体側面図、図４はそのシャワー装置を示す斜視図である。
【００１０】
図１において、１は催芽機であって、催芽機１は、温水を貯留して種籾を浸すタンク２と、タンク２内の温水をその底部から上面にかけて循環させる水循環装置３を備えて構成されている。水循環装置３は、タンク２内の温水をその底部から吸引して揚水し、タンク２の上面に対向して配設したシャワー装置４により、タンク２の上面の略全体にわたって分散状に散水するものである。水循環装置３とシャワー装置４の給水管５は、可撓性管６によって接続されている。
【００１１】
上記催芽機１におけるシャワー装置４は、図２に示すように、複数のシャワーヘッド７を、分岐管８により接続してなるものであり、複数のシャワーヘッド７に対する温水の供給基点９である給水管５の分岐管８との接続点と各シャワーヘッド７とは、略等距離となるように構成されている。すなわち、上記分岐管８は、左右に一対のＨ状管部１０，１０とそれをつなぐ直管部１１とでなり、直管部１１の中間点に給水管５が接続されて、その接続点が温水の供給基点９となっている。そして、各シャワーヘッド７はＨ状管部１０，１０の先端に装着されている。複数のシャワーヘッド７を供給基点９に接続する分岐管８は、水平状に配管されている。
【００１２】
複数のシャワーヘッド７の配置間隔は、各シャワーヘッド７の散水範囲を勘案してタンク２の上面全体にわたって略均等に散水されるように設定することが好ましい。なお、本発明の一実施の形態においては、各シャワーヘッド７と供給基点９とを略等距離にし、かつ互いに隣接するシャワーヘッド７を等間隔に配置しているが、これはタンク２の上面全体にわたって略均等に散水するうえで好適であるからである。
【００１３】
以上のように構成された本発明の一実施の形態に係る催芽機１によれば、タンク２内の底部から水循環装置３により吸引してタンク２の上面にかけて循環させる温水は、複数のシャワーヘッド７によりタンク２の上面に拡散状に均等に散布される。このため、タンク２内の温水がその略全体にわたって均等に循環して、温水の温度ムラを生じさせることが少なく、しかもタンク２の上面において温水が広く拡散状に均等に散布されるので、その過程で温水に空気中の酸素が多く取り入れられ、タンク２に詰めた種籾の発芽を均等に促進することができる。
【００１４】
図３および図４に示す本発明の他の実施の形態においては、複数のシャワーヘッド７に対する温水の供給基点９において、給水管５がそれを下方から上向きに接続する中継管１２を介して接続している。なお、その他の構成は図１および図２に示す構成と同様であるから、同構成部位には同符号を付してその説明を省略する。
【００１５】
本発明の他の実施の形態のように構成することにより、給水管５から分岐管８を経て各シャワーヘッド７に供給する水量または水圧が低い場合でも、給水管５から供給される温水が分岐管８に充満する態様となったうえ各シャワーヘッド７から散水されるので、水量または水圧の高低にかかわらず各シャワーヘッド７から均等に散水することができる。したがって、本発明に係る他の実施の形態によれば、一層良好な催芽を行うことができる。
【００１６】
【発明の効果】
本発明によれば、タンクの上面略全体にわたって均等に分散状に散水することにより、タンク内の温水をタンクの略全体にわたって均等に循環させるとともに、広範囲にわたる散水により空気中の酸素を十分取り入れて、タンクに詰めた種籾の発芽を均等に促進することができ、さらに、温水の循環速度や圧力の高低にかわらず均等に散水することができる催芽機におけるシャワー装置を提供することができる。
【図面の簡単な説明】
【図１】  本発明の一実施の形態に係る催芽機の全体側面図である。
【図２】  本発明の一実施の形態に係る催芽機のシャワー装置を示す斜視図である。
【図３】  本発明の他の実施の形態に係る催芽機の全体側面図である。
【図４】  本発明の他の実施の形態に係る催芽機のシャワー装置を示す斜視図である。
【符号の説明】
１  催芽機
２  タンク
３  水循環装置
４  シャワー装置
５  給水管
６  可撓性管
７  シャワーヘッド
８  分岐管
９  温水の供給基点
１０，１０  Ｈ状管部
１１  直管部
１２  中継管
【図１】
0003796681.tif 000002
【図２】
0003796681.tif 000003
【図３】
0003796681.tif 000004
【図４】
0003796681.tif 000005